(57)【要約】【課題】一体の作動杆により前枠及びガラス枠を解錠することができるとともに、前枠の錠構造の簡易化を図ることにより製作コストを抑えることができる遊技機における施錠装置を提供する。【解決手段】施錠装置１７の外郭を形成する支持体１８には、一体の作動杆２５が上下方向へスライド移動可能に設けられている。その作動杆２５の上下両端部にはそれぞれ鉤部材２６が回動可能に連結されている。また、支持体１８には一対のガラス枠作動体２７が設けられ、それらガラス枠作動体２７は作動杆２５の作動によりスライド移動可能に設けられている。そして、鍵２３による前枠又はガラス枠の解錠操作により、作動杆２５が正逆各方向へスライド移動し、その作動杆２５により一対の鉤部材２６又はガラス枠作動体２７が作動して前枠又はガラス枠が解錠される。【選択図】      図１
2004261520.tif 000002
【特許請求の範囲】
【請求項１】
本体枠と、遊技盤が保持されて前記本体枠の前面に開閉可能に支持される前枠と、当該前枠の前面に開閉可能に支持されるガラス枠とから構成される遊技機の前記前枠に取着される施錠装置であって、
前枠に固定される支持体には、当該支持体に回動可能に支持され、前枠に係合した施錠位置で前枠を本体枠に施錠する一対の鉤部材と、
支持体に沿ってスライド移動可能に設けられ、ガラス枠との係合関係にある施錠位置でガラス枠を前枠に施錠するガラス枠作動体と、
錠部材による前枠又はガラス枠の解錠操作を前記一対の鉤部材又は前記ガラス枠作動体に伝達する一体の作動杆と
が設けられ、前記錠部材の前枠の解錠操作により正方向へスライド移動した作動杆によって一対の鉤部材が前記施錠位置から解錠位置へ回動して前枠を解錠し、前記錠部材のガラス枠の解錠操作により前記正方向とは逆方向へスライド移動した作動杆によってガラス枠作動体が前記施錠位置から解錠位置へスライド移動してガラス枠を解錠することを特徴とする遊技機における施錠装置。
【請求項２】
前記支持体には２体のガラス枠作動体が設けられていることを特徴とする請求項１に記載の遊技機における施錠装置。
【請求項３】
前記ガラス枠作動体と、ガラス枠との係合関係は、ガラス枠作動体に設けられたガラス枠鉤と、ガラス枠に設けられた金具との係合又はガラス枠作動体に設けられた係合部と、ガラス枠に設けられたガラス枠鉤との係合により形成されることを特徴とする請求項１又は請求項２に記載の遊技機における施錠装置。
【請求項４】
前記ガラス枠作動体は、ガラス枠との係合関係を維持する方向へスライド移動するように付勢部材により付勢され、前記作動杆は、ガラス枠作動体を介した付勢部材により、ガラス枠作動体を解錠位置へスライド移動させるためにスライド移動した位置から元の状態に戻る方向へスライド移動するように付勢されていることを特徴とする請求項１〜請求項３のいずれか一項に記載の遊技機における施錠装置。
【発明の詳細な説明】
【０００１】
【発明の属する技術分野】
本発明は、パチンコ遊技機等の遊技機において、遊技盤が設けられた前枠を本体枠に施錠するとともに、ガラス枠を前枠に施錠するための遊技機における施錠装置に関するものである。
【０００２】
【従来の技術】
従来より、遊技機の一種であるパチンコ遊技機は、その外郭が縦長四角枠状をなす機台枠と、同機台枠に開閉可能に支持される表枠と、同表枠の内側に保持される遊技盤と、前記表枠の表面に取付けられた飾り枠に開閉可能に支持されるガラス枠とから構成されている。表枠の自由端側の裏面には錠装置が装着され、その錠装置により表枠を機台枠に施錠できるとともに、ガラス枠を表枠に施錠できるようになっている（例えば、特許文献１参照）。
【０００３】
前記錠装置は表枠の裏面に固定される固定基枠を備え、その固定基枠にはシリンダ錠が取付けられている。また、固定基枠にはスライド板が摺動可能に設けられ、そのスライド板の上下には第一上部可動錠板及び第一下部可動錠板が、当該スライド板に対して上下方向にスライド移動可能に連結されている。そして、表枠を閉じる方向に回動させると、前記第一上部可動錠板及び第一下部可動錠板に設けられた各鉤部が、機台枠の錠爪部材に係合して表枠が施錠される。一方、シリンダ錠により表枠の解錠操作を行うと、上方に移動した前記スライド板により第一上部可動錠板及び第一下部可動錠板がそれぞれ上方へスライド移動されて各鉤部と錠爪部材との係合が解除され、表枠が解錠される。
【０００４】
また、前記飾り枠の内側面には第二可動錠板が上下方向にスライド移動可能に取付けられ、この第二可動錠板の上下両部にはそれぞれ鉤部が形成されている。そして、ガラス枠を閉じる方向に回動させると、第二可動錠板に設けられた鉤部がガラス枠の係止片に係止されてガラス枠が施錠される。一方、シリンダ錠によりガラス枠の解錠操作を行うと、下方に移動した前記スライド板により第二可動錠板が押し下げられて鉤部と係止片との係止が解除され、ガラス枠が解錠される。
【０００５】
【特許文献１】
特開２００２−１３３２９号公報（第４頁〜第８頁、図１、図８）
【０００６】
【発明が解決しようとする課題】
ところが、上記従来の錠装置において、表枠及びガラス枠の二つの枠を解錠するためには、各枠に対応した可動錠板を、それぞれスライド移動させなくてはならない。各可動錠板をスライド移動させるためには、各可動錠板に長孔を形成し、さらに、それら長孔に対する位置等を考慮して連結ピン又は取付けピンを長孔を通過させてスライド板又は飾り枠に取付けなくてはならない。その結果、両枠の錠構造がそれぞれ複雑化するとともに、各可動錠板の製作精度及び組付け精度を高くしなければならず、錠装置の製作コストが高くなるという問題があった。
【０００７】
この発明は、このような従来技術に存在する問題点に着目してなされたものである。その目的とするところは、一体の作動杆により前枠及びガラス枠を解錠することができるとともに、前枠の錠構造の簡易化を図ることにより製作コストを抑えることができる遊技機における施錠装置を提供することにある。
【０００８】
【課題を解決するための手段】
上記問題点を解決するために、請求項１に記載の発明は、本体枠と、遊技盤が保持されて前記本体枠の前面に開閉可能に支持される前枠と、当該前枠の前面に開閉可能に支持されるガラス枠とから構成される遊技機の前記前枠に取着される施錠装置であって、前枠に固定される支持体には、当該支持体に回動可能に支持され、前枠に係合した施錠位置で前枠を本体枠に施錠する一対の鉤部材と、支持体に沿ってスライド移動可能に設けられ、ガラス枠との係合関係にある施錠位置でガラス枠を前枠に施錠するガラス枠作動体と、錠部材による前枠又はガラス枠の解錠操作を前記一対の鉤部材又は前記ガラス枠作動体に伝達する一体の作動杆とが設けられ、前記錠部材の前枠の解錠操作により正方向へスライド移動した作動杆によって一対の鉤部材が前記施錠位置から解錠位置へ回動して前枠を解錠し、前記錠部材のガラス枠の解錠操作により前記正方向とは逆方向へスライド移動した作動杆によってガラス枠作動体が前記施錠位置から解錠位置へスライド移動してガラス枠を解錠することを要旨とする。
【０００９】
請求項２に記載の発明は、請求項１に記載の遊技機における施錠装置において、前記支持体には２体のガラス枠作動体が設けられていることを要旨とする。
請求項３に記載の発明は、請求項１又は請求項２に記載の遊技機における施錠装置において、前記ガラス枠作動体と、ガラス枠との係合関係は、ガラス枠作動体に設けられたガラス枠鉤と、ガラス枠に設けられた金具との係合又はガラス枠作動体に設けられた係合部と、ガラス枠に設けられたガラス枠鉤との係合により形成されることを要旨とする。
【００１０】
請求項４に記載の発明は、請求項１〜請求項３のいずれか一項に記載の遊技機における施錠装置において、前記ガラス枠作動体は、ガラス枠との係合関係を維持する方向へスライド移動するように付勢部材により付勢され、前記作動杆は、ガラス枠作動体を介した付勢部材により、ガラス枠作動体を解錠位置へスライド移動させるためにスライド移動した位置から元の状態に戻る方向へスライド移動するように付勢されていることを要旨とする。
【００１１】
【発明の実施の形態】
以下、本発明を具体化した遊技機における施錠装置の一実施形態を図１〜図６にしたがって説明する。まず、図５及び図６に示すように遊技機の一種であるパチンコ遊技機１１は、その外郭が縦長四角枠状をなす本体枠１２により形成され、この本体枠１２の左側部には、四角枠状をなす前枠１３が開閉可能に支持されている。また、図５に破線に示すように、本体枠１２の右側部の内面には上下一対の係合金具Ｋが設けられ、それら係合金具Ｋは前枠１３を本体枠１２に施錠するためのものである。前記前枠１３には図示しない打球発射装置、球皿等のパチンコゲームを展開可能とする遊技構成部材が搭載できるとともに、前枠１３の内側には遊技盤１４が保持されている。
【００１２】
図６に示すように、前枠１３の左側部には、金属製又は合成樹脂製の四角枠の内側にガラス板が嵌め込まれたガラス枠１５が開閉可能に支持されている。前記ガラス枠１５の右側部の背面には上下一対のガラス枠鉤Ｇが設けられ、それらガラス枠鉤Ｇはガラス枠１５を前枠１３に施錠するためのものである。さらに、ガラス枠１５の下方における前枠１３の左側部には、上皿扉１６が開閉可能に支持され、この上皿扉１６には図示しないパチンコ球を貯留するための上皿が備えられている。図５に示すように、前枠１３の右側部の背面には縦長四角状の施錠装置１７が取着され、この施錠装置１７によりガラス枠１５を前枠１３に施錠でき、前枠１３を本体枠１２に施錠できるようになっている。なお、以下において上下左右は、パチンコ遊技機１１を前方から見た場合の上下左右を示すものとする。
【００１３】
図１及び図２（ａ）に示すように、施錠装置１７は、亜鉛メッキ鋼板等から細長四角板状に形成され、前枠１３の背面に固定される支持体１８によって外郭が形成されている。この支持体１８は縦長四角板状の固定板１８ａと、固定板１８ａの左側から背面方向に折り曲げ形成された側板１８ｂとを備えている。図１に示すように、固定板１８ａの上部及び下部には、それぞれ平面視Ｔ字状をなす取付片１９が一対ずつ切り起こし形成され、上下各一対の取付片１９の間にはそれぞれ掛止突片２０が切り起こし形成されている。また、固定板１８ａの上部における取付片１９の下側と、固定板１８ａの下縁部とにはそれぞれ第１掛止フック２１が、固定板１８ａを切り起こし、さらに下方へ延びるように折り曲げて形成されている。図２（ａ）、（ｂ）に示すように、固定板１８ａにおいて、前記各掛止突片２０より側部にはそれぞれ貫通孔１８ｄが透設されている。
【００１４】
図１に示すように、固定板１８ａの下部には錠部材としてのシリンダ錠Ｓが装着され、そのシリンダ錠Ｓには円盤状をなすピニオン２２が軸着されている。そして、シリンダ錠Ｓの先端側から鍵２３を挿入して前記前枠１３又はガラス枠１５の解錠操作を行うべく鍵２３を、各枠の解錠方向へ回動させると、その鍵２３の回動方向と同一方向にピニオン２２が回動するようになっている。前記側板１８ｂの上部及び下部の端縁には、それぞれ背面視Ｌ字状をなすストッパー片２４が延設されている。
【００１５】
図２（ａ）に示すように、上記構成の支持体１８において側板１８ｂの内側には、細長板状をなす作動杆２５が上下方向へスライド移動可能に設けられている。図１に示すように、作動杆２５の上下両部及び中央よりやや下部にはそれぞれスライド孔２５ａが透設され、各スライド孔２５ａはそれぞれ作動杆２５の長さ方向に細長に延びるように形成されている。作動杆２５の上端部及び中央部より下側にはそれぞれ係止突片２５ｂが、右方向に延びるように折り曲げ形成されている。
【００１６】
また、作動杆２５の下部は左側へ膨出するように折り曲げ形成され、その膨出部分の端縁にはラック２５ｃが形成されている。前記ラック２５ｃは、同ラック２５ｃを構成する複数の歯となる部分が右方向に突出するように形成されている。加えて、作動杆２５において、施錠装置１７の背面側となる端縁の上下両部には、それぞれ押圧突片２５ｆが突出形成されている。
【００１７】
上記構成の作動杆２５は、前記３箇所のスライド孔２５ａをそれぞれ貫通した固定ピンＰが側板１８ｂにかしめ着けられることにより側板１８ｂの内側に取り付けられている。そして、作動杆２５は、前記スライド孔２５ａの長さ方向への長さ分だけ支持体１８に沿って上下両方向（正逆両方向）にスライド移動可能に構成されている。また、図２（ａ）に示すように、作動杆２５が側板１８ｂの内側に取り付けられた状態において、前記ラック２５ｃは前記ピニオン２２と噛合するように配設されている。
【００１８】
次に、前枠１３の錠構造について説明する。図１に示すように、作動杆２５が側板１８ｂの内側に取り付けられるとき、上下一対の固定ピンＰは、作動杆２５の上下両部に配設された鉤部材２６の基端部を貫通して側板１８ｂにかしめ着けられる。即ち、側板１８ｂの上下両部には、それぞれ固定ピンＰにより鉤部材２６が回動可能に支持され、作動杆２５の上下両部には、それぞれ固定ピンＰによって鉤部材２６が連結されている。
【００１９】
前記一対の鉤部材２６は、それぞれ細長板状に形成された鉤部２６ａと、同鉤部２６ａの基端から延設された延設片２６ｂとから略Ｕ字状に形成されている。前記鉤部２６ａの先端側には下方へ開口する係合凹所２６ｃが形成され、この係合凹所２６ｃは前記係合金具Ｋと係合可能に形成されている。前記延設片２６ｂは、鉤部２６ａの基端から右方向に延びた後、鉤部２６ａと平行となるように鉤部２６ａの先端側に向かって延びるように折り曲げ形成されている。図２（ａ）に示すように、各延設片２６ｂの先端には、それぞれ第１コイルばねＣ１の一端（上端）が掛止され、それら第１コイルばねＣ１の他端（下端）は、固定板１８ａの上下各第１掛止フック２１に掛止されている。各第１コイルばねＣ１により、各鉤部材２６は下方向、具体的には鉤部材２６が係合金具Ｋに係合する方向へ回動するように付勢されている。
【００２０】
また、各鉤部材２６は、前記鉤部２６ａが側板１８ｂとストッパー片２４との間に配置され、延設片２６ｂがストッパー片２４より右側に位置するように配設されている。そして、前枠１３と本体枠１２とが施錠されていない状態では、鉤部２６ａの下端縁がストッパー片２４に当接して鉤部材２６の回動が規制されている。各鉤部材２６の回動が規制された状態では、鉤部材２６は、前枠１３が閉止方向へ回動されたとき、その前枠１３の係合金具Ｋと対応する位置に位置決めされている。
【００２１】
各鉤部２６ａの上端縁には当接片２６ｄが左方向に延びるように形成されている。図３（ａ）に示すように、各当接片２６ｄは、作動杆２５が上方向へスライド移動したとき、作動杆２５の押圧突片２５ｆによりそれぞれ下方から上方向に向かって押圧され、その押圧により鉤部材２６が固定ピンＰを中心として回動するようになっている。
【００２２】
そして、上記構成の作動杆２５と一対の鉤部材２６とにより前枠１３の錠構造が形成され、この錠構造において、作動杆２５は前記シリンダ錠Ｓによる前枠１３の解錠操作を前記一対の鉤部材２６に伝達するために設けられている。また、図２（ａ）に示すように、前枠１３の係合金具Ｋに係合凹所２６ｃが係合し、各鉤部材２６が前枠１３に係合して、前枠１３を本体枠１２に施錠する位置を各鉤部材２６の施錠位置とする。一方、図３（ａ）に示すように、作動杆２５が上方向（正方向）へスライド移動され、その作動杆２５により各鉤部材２６が回動されることにより係合凹所２６ｃと係合金具Ｋとの係合が解除されて、前枠１３を本体枠１２から解錠する位置を各鉤部材２６の解錠位置とする。
【００２３】
次に、ガラス枠１５の錠構造について説明する。図１に示すように、固定板１８ａの上下両部の内側には、それぞれガラス枠作動体２７が上下方向にスライド移動可能に設けられている。これらガラス枠作動体２７が施錠位置及び解錠位置の二位置に配設されることにより、ガラス枠１５を前枠１３に施錠及び解錠することが可能となっている。前記ガラス枠作動体２７はそれぞれ細長四角板状をなす金属板の長さ方向に延びる側縁を折り曲げて断面略Ｕ字状に形成し、さらに、所定部位を切り欠くことによって形成されている。各ガラス枠作動体２７の上部には、第１ガイド孔２７ａがガラス枠作動体２７の上端縁から下方へ延びるように形成され、その第１ガイド孔２７ａの下側には略四角形状をなす係合孔２７ｃが透設されている。ガラス枠作動体２７において、図２（ｂ）に示すように、前記係合孔２７ｃより下側の内面には、ガラス枠鉤Ｇが係合可能な係合部２７ｇが形成されている。
【００２４】
図１に示すように、各ガラス枠作動体２７において、前記係合孔２７ｃの下側にはそれぞれＴ字状をなす第２ガイド孔２７ｂが透設されている。各ガラス枠作動体２７の左側縁部のほぼ中央には、係止孔２７ｄがガラス枠作動体２７を形成する金属板を貫通して穿設されている。さらに、各ガラス枠作動体２７の下部には第２掛止フック２７ｅが施錠装置１７の背面に向かって延びるように折り曲げ形成されている。そして、図２（ａ）、（ｂ）に示すように、両ガラス枠作動体２７は、第１ガイド孔２７ａ及び第２ガイド孔２７ｂに前記取付片１９が挿入され、係合孔２７ｃに前記掛止突片２０が挿入されるとともに、係止孔２７ｄ内に前記係止突片２５ｂが挿入された状態で固定板１８ａに取り付けられている。即ち、両ガラス枠作動体２７は、各取付片１９の先端部が、第１ガイド孔２７ａ及び第２ガイド孔２７ｂの縁部に係止されることにより固定板１８ａに取り付けられている。
【００２５】
また、各係合孔２７ｃを通過した掛止突片２０には、それぞれ付勢部材としての第２コイルばねＣ２の一端（上端）が掛止され、それら第２コイルばねＣ２の他端（下端）はそれぞれ各ガラス枠作動体２７の第２掛止フック２７ｅに掛止されている。そして、前記第２コイルばねＣ２により、各ガラス枠作動体２７がそれぞれ上方向に付勢されることによって、各ガラス枠作動体２７は前記係合部２７ｇとガラス枠鉤Ｇとの係合が維持される方向に付勢されている。両ガラス枠作動体２７が第２コイルばねＣ２により上方向に付勢された状態で、係止突片２５ｂの下端縁が各係止孔２７ｄの内周縁に当接し、両ガラス枠作動体２７を介した第２コイルばねＣ２により作動杆２５が上方向に付勢されている。また、各ガラス枠作動体２７は、係合孔２７ｃが固定板１８ａの貫通孔１８ｄと対応するように配置されている。
【００２６】
そして、上記構成のガラス枠作動体２７と作動杆２５とによりガラス枠１５の錠構造が形成され、この錠構造において、作動杆２５は前記シリンダ錠Ｓによるガラス枠１５の解錠操作を前記一対のガラス枠作動体２７に伝達するものである。図２（ｂ）に示すように、ガラス枠作動体２７が上方向へ移動して、係合部２７ｇと前記ガラス枠鉤Ｇとが係合関係にあり、ガラス枠１５を前枠１３に施錠する位置を各ガラス枠作動体２７の施錠位置とする。一方、図４（ａ）に示すように、ガラス枠作動体２７が前記施錠位置より下方向へ移動され、各係合部２７ｇと前記ガラス枠鉤Ｇとの係合が解除されるとともに、ガラス枠１５が前枠１３から解錠された位置を、各ガラス枠作動体２７の解錠位置とする。なお、両ガラス枠作動体２７を介した第２コイルばねＣ２により、作動杆２５は、ガラス枠作動体２７を解錠位置へスライド移動させるためにスライド移動した位置から元の状態に戻る方向（上方向）へスライド移動するように付勢されている。
【００２７】
次に、前記施錠装置１７の作用について以下に記載する。
まず、前枠１３の本体枠１２に対する施錠について説明する。施錠装置１７を備えた前枠１３を閉止方向へ回動させると、一対の係合金具Ｋにより一対の鉤部材２６が、それぞれ第１コイルばねＣ１の付勢力に抗して押し上げられるように回動するとともに、各第１コイルばねＣ１が伸長される。そして、一対の係合金具Ｋが各係合凹所２６ｃの下側に位置すると、各係合金具Ｋによる各鉤部材２６の押し上げが解除される。その結果、伸長した第１コイルばねＣ１の原形状への復帰により、各鉤部材２６がそれぞれ下方へ引張られて回動し、前記鉤部材２６の施錠位置に配置される。すると、図２（ａ）に示すように、各鉤部材２６の係合凹所２６ｃがそれぞれ係合金具Ｋの上端に係合して前枠１３が本体枠１２に施錠され、各第１コイルばねＣ１の付勢力により各鉤部材２６が係合金具Ｋに係合した状態が維持される。
【００２８】
前枠１３が本体枠１２に施錠された状態で、ピニオン２２とラック２５ｃの歯同士が複数箇所で噛合しているため、それら噛合箇所には大きな摩擦力が発生している。さらに、シリンダ錠Ｓから鍵２３が抜かれた状態では、シリンダ錠Ｓ内でロック機構が作動してシリンダ錠Ｓが回動不可能となる。そして、前枠１３の施錠状態では、ラック２５ｃとピニオン２２とが常時噛合している。その結果、作動杆２５を不正行為によって押し上げようとしても、上記摩擦力とロック機構とにより、作動杆２５の移動が規制され、不正行為による前枠１３の解錠が防止される。また、一対の鉤部材２６はそれぞれ作動杆２５に対して独立して回動可能に設けられている。そのため、例えば、一対の鉤部材２６のうち一方の鉤部材２６が不正行為により操作されて係合金具Ｋとの係合が解除されても、他方の鉤部材２６と係合金具Ｋとが係合しているため、前枠１３が開放される虞が無い。
【００２９】
前枠１３が本体枠１２に施錠されている状態から前枠１３を解錠するには、まずシリンダ錠Ｓに鍵２３を差し込み、前枠１３の解錠方向に回動させて前枠１３の解錠操作を行う。すると、図３（ｂ）に示すように、ピニオン２２の複数の歯がラック２５ｃの複数の歯に常時噛合しているため、ピニオン２２の回動がラック２５ｃに速やかに伝達され、作動杆２５が速やかに作動される。そして、ラック２５ｃがピニオン２２の回動により押し上げられ、同ラック２５ｃを介して作動杆２５が上方向（正方向）へスライド移動する。このとき、ピニオン２２の厚みは、ラック２５ｃの厚みよりも大きく形成されているため、ピニオン２２の回動時に、同ピニオン２２がラック２５ｃから離脱することが防止される。
【００３０】
そして、作動杆２５が上方向へスライドされると、図３（ａ）に示すように、各押圧突片２５ｆにより当接片２６ｄが上方へ押される。即ち、作動杆２５によりシリンダ錠Ｓの解錠操作が各鉤部材２６に伝達され、各鉤部材２６がそれぞれ第１コイルばねＣ１の付勢力に抗して回動する。その結果、各鉤部材２６がそれらの先端が上方向に向かうように回動して施錠位置から解錠位置へ移動するとともに、各第１コイルばねＣ１が伸長される。これに伴って、各鉤部材２６の係合凹所２６ｃの係合金具Ｋに対する係合が解除され、本体枠１２から前枠１３が解錠される。
【００３１】
前枠１３の解錠後、鍵２３の解錠操作を解除すると、一対の伸長した第１コイルばねＣ１の原形状への復帰により一対の鉤部材２６は先端が下方向に引張られて固定ピンＰを中心に回動される。このとき、各鉤部材２６の鉤部２６ａの下端がそれぞれストッパー片２４の内面に当接して、鉤部材２６の必要以上の回動が規制される。また、各鉤部材２６が回動する際に、当接片２６ｄが押圧突片２５ｆを下方へ押すため、作動杆２５は下方へ押され、作動杆２５及び鉤部材２６が解錠前の状態に戻る。
【００３２】
次に、ガラス枠１５の施錠及び解錠について説明する。ガラス枠１５を前枠１３に施錠するには、ガラス枠１５を前枠１３方向へ回動させると、一対のガラス枠鉤Ｇがそれぞれ貫通孔１８ｄ内に挿入される。すると、各ガラス枠作動体２７がガラス枠鉤Ｇにより押し下げられるとともに、各第２コイルばねＣ２が伸長される。さらに、各ガラス枠鉤Ｇが施錠装置１７内奥方まで挿入されると、ガラス枠鉤Ｇによるガラス枠作動体２７の押し下げが解除される。その結果、伸長した第２コイルばねＣ２の原形状への復帰により、各ガラス枠作動体２７がそれぞれ上方へ引張られる。すると、図２（ｂ）に示すように、各ガラス枠作動体２７の係合部２７ｇに、一対のガラス枠鉤Ｇがそれぞれ係合して施錠位置に配設されるとともに、ガラス枠作動体２７とガラス枠１５との係合関係、即ち、前記各係合部２７ｇとガラス枠鉤Ｇとの係合関係によりガラス枠１５が前枠１３に施錠される。
【００３３】
ガラス枠１５の施錠状態において、各第２コイルばねＣ２により各ガラス枠作動体２７は上方へ引張られているため、ガラス枠鉤Ｇの係合部２７ｇに対する係合が維持され、ガラス枠１５の施錠状態が維持される。また、不正行為によって作動杆２５を直接的に操作して押し下げようとしても、上記と同様にラック２５ｃとピニオン２２との噛合が大きな摩擦抵抗となり、さらにシリンダ錠Ｓのロック機構が作動する。従って、作動杆２５を不正行為によって押し下げ、ガラス枠作動体２７を施錠位置から解錠位置にまで移動させてガラス枠１５を解錠する行為が不可能となる。さらに、一対のガラス枠作動体２７はそれぞれ作動杆２５に対して独立して移動可能に設けられている。そのため、例えば、一対のガラス枠作動体２７のうち一方のガラス枠作動体２７が不正行為により操作されても、他方のガラス枠作動体２７の係合部２７ｇとガラス枠鉤Ｇとが係合しているため、ガラス枠１５が開放される虞が無い。
【００３４】
ガラス枠１５を前枠１３から解錠するには、まず鍵２３をガラス枠１５の解錠方向に回動させてガラス枠１５の解錠操作を行う。このときも、ピニオン２２の複数の歯がラック２５ｃの複数の歯に常時噛合しているため、ピニオン２２の回動がラック２５ｃに速やかに伝達され、作動杆２５が速やかに作動される。すると、図４（ｂ）に示すように、ピニオン２２はラック２５ｃに噛合した状態で鍵２３の回動方向と同一方向に回動する。そして、ラック２５ｃがピニオン２２の回動により押し下げられ、同ラック２５ｃを介して作動杆２５が下方向（逆方向）へスライド移動される。
【００３５】
これに伴って、各係止突片２５ｂが各ガラス枠作動体２７の係止孔２７ｄの内周縁に係止し、各ガラス枠作動体２７はそれぞれ第２コイルばねＣ２の付勢力に抗して押し下げられる。即ち、シリンダ錠Ｓによるガラス枠１５の解錠操作が作動杆２５により各ガラス枠作動体２７に伝達される。その結果、図４（ａ）に示すように、各ガラス枠作動体２７はそれぞれ下方向（逆方向）へスライド移動して施錠位置から解錠位置に移動されるととも、第２コイルばねＣ２は伸長される。すると、ガラス枠鉤Ｇが係合していたガラス枠作動体２７の内面部位が下方向へ移動し、ガラス枠鉤Ｇの係合部２７ｇに対する係合が解除され、ガラス枠１５を開放可能な状態となる。
【００３６】
ガラス枠１５の解錠後、鍵２３の解錠操作を解除すると、一対の伸長した第２コイルばねＣ２の原形状への復帰により、一対のガラス枠作動体２７は上方へ引張られてスライド移動する。このとき、各ガラス枠作動体２７の係止孔２７ｄの内周縁に係止した係止突片２５ｂが押し上げられるため、作動杆２５も押し上げられる。その結果、作動杆２５は一対のガラス枠作動体２７を解錠位置へスライド移動させるためにスライド移動した位置から元の状態に戻る方向へスライド移動し、ガラス枠作動体２７及び作動杆２５が解錠前の状態に戻る。
【００３７】
前記の実施形態によって発揮される効果について、以下に記載する。
（１）作動杆２５により前枠１３及びガラス枠１５の解錠を行うことができ、その前枠１３の錠構造は、作動杆２５に対して回動可能な一対の鉤部材２６により構成され、ガラス枠１５の錠構造は、作動杆２５に対してスライド移動可能なガラス枠作動体２７により構成されている。ここで、前枠１３の錠構造は、固定ピンＰを各鉤部材２６及び作動杆２５を貫通させて側板１８ｂに固定することにより構成されている。即ち、前枠１３の錠構造は、鉤部材２６に長孔を形成する必要もなく、長孔に対応するように固定ピンＰを支持体１８に取付ける必要がない。従って、一対の鉤部材２６を容易に製作することができるとともに、それら鉤部材２６の支持体１８に対する組付け精度を必要としない。その結果、二つの枠の錠構造が、それぞれスライド板に対してスライド移動可能な可動錠板により構成されていた従来と比較して、一方の枠（前枠１３）の錠構造を簡易化することができ、施錠装置１７の製作コストを抑えることができる。
【００３８】
（２）前枠１３の解錠及び施錠時には各鉤部材２６は、固定ピンＰを中心とし、鉤部２６ａの長さ方向への長さを半径とする円弧内を回動する。そのため、前枠１３の解錠及び施錠時に、鉤部が一体形成された可動錠板全体がスライド移動していた従来と比較して、鉤部材２６の移動のために確保する空間を狭くすることができ、施錠装置１７の小型化を図ることができる。
【００３９】
（３）一対の鉤部材２６は固定ピンＰを側板１８ｂにかしめ着けることにより回動可能に構成されている。そのため、鉤部材２６には、従来の可動錠板のように、長孔を形成するための長さを確保する必要がない。従って、鉤部材２６の小型化を図ることができ、施錠装置１７製作のための材料の節約に寄与することができる。
【００４０】
（４）作動杆２５は、ラック２５ｃの複数の歯がピニオン２２の複数の歯に常時噛合した状態で支持体１８に設けられている。そのため、ピニオン２２を回動させたとき、作動杆２５を速やかかつ確実にスライド移動させることができる。従って、作動杆２５に連結された一対の鉤部材２６又はガラス枠作動体２７を、鍵２３の操作により速やかかつ確実に作動させて前枠１３又はガラス枠１５の解錠作業を容易に行うことができる。
【００４１】
（５）また、ピニオン２２の歯とラック２５ｃの歯とが複数箇所で噛合しているため、作動杆２５を移動させる際には、ピニオン２２とラック２５ｃとの間に大きな摩擦力が発生する。また、シリンダ錠Ｓは鍵２３が抜かれた状態では、ロック機構が作動する。従って、上記摩擦力及びロック機構により、鍵２３を使用せず作動杆２５を移動させることが困難となり、不正行為により前枠１３及びガラス枠１５が解錠されるのを防止することができる。
【００４２】
（６）作動杆２５に対して一対の鉤部材２６及びガラス枠作動体２７はそれぞれ独立して作動可能に設けられている。そのため、万一、不正行為により一方の鉤部材２６又はガラス枠作動体２７が作動されて、各係合が解除されても、他方の鉤部材２６又はガラス枠作動体２７の係合を維持できる。従って、不正行為により、前枠１３又はガラス枠１５が容易に解錠されてしまうといった不具合を無くすことができる。
【００４３】
（７）ガラス枠鉤Ｇがガラス枠作動体２７の係合部２７ｇに係合することによりガラス枠１５が前枠１３に施錠され、各ガラス枠作動体２７を作動させてガラス枠鉤Ｇとの係合を解除することによりガラス枠１５が前枠１３から解錠される。即ち、施錠装置１７は、支持体１８にガラス枠作動体２７を移動可能に設けるだけでガラス枠１５の前枠１３に対する施錠及び解錠を行うことができる。
【００４４】
（８）各ガラス枠作動体２７は、係合部２７ｇとガラス枠鉤Ｇとの係合が維持されるように第２コイルばねＣ２よって上方向に付勢され、そのガラス枠作動体２７を介した第２コイルばねＣ２により作動杆２５は上方向（正方向）に付勢されている。そのため、第２コイルばねＣ２により２種類の部材を付勢することができ、各部材を付勢するために別々の付勢部材を設ける場合と比較して、部品点数を少なくして施錠装置１７の構成の簡易化を図ることができるとともに、製作コストを抑えることができる。
【００４５】
なお、本実施形態は、次のように変更して具体化することも可能である。
・  実施形態では、シリンダ錠Ｓにピニオン２２を軸着し、作動杆２５にラック２５ｃを形成してそれらピニオン２２とラック２５ｃとを噛合したが、ピニオン２２の代わりに、シリンダ錠ＳにＶ字状をなすカム板を取付け、作動杆２５に前記カム板を係合可能に構成してもよい。そして、シリンダ錠Ｓの回動によりカム板を回動させ、そのカム板と作動杆２５との係合により作動杆２５を上下各方向へスライド移動させてもよい。
【００４６】
・  実施形態では、第２コイルばねＣ２によりガラス枠作動体２７を上方向に付勢するとともに、ガラス枠作動体２７を介した第２コイルばねＣ２により作動杆２５を上方向に付勢したが、第２コイルばねＣ２とは別に設けたコイルばねにより作動杆２５を上方向に付勢してもよい。
【００４７】
・  実施形態では、各ガラス枠作動体２７の係合部２７ｇとガラス枠鉤Ｇとの係合関係により、ガラス枠１５と前枠１３とを施錠するように構成したが、以下のように変更してもよい。図７及び図８に示すように、各ガラス枠作動体２７の前面側にそれぞれガラス枠鉤２７ｆを一体形成し、そのガラス枠作動体２７をガラス枠鉤２７ｆが貫通孔１８ｄを貫通するように固定板１８ａに取り付ける。一方、図８に示すように、ガラス枠１５には、ガラス枠鉤Ｇの代わりに、前記ガラス枠鉤２７ｆが係合可能なガラス枠金具３０が上下一対に設けられている。
【００４８】
そして、ガラス枠１５を閉止方向に回動させると、前記ガラス枠金具３０により、各ガラス枠作動体２７がそれぞれ第２コイルばねＣ２の付勢力に抗して押し下げられてスライド移動するとともに、各第２コイルばねＣ２は伸長される。ガラス枠金具３０がガラス枠鉤２７ｆと係合可能な位置まで押し下げられると、伸長された一対の第２コイルばねＣ２の原形状への復帰により、ガラス枠作動体２７が上方向へ引張られ、図８に２点鎖線に示すように、ガラス枠鉤２７ｆが施錠位置に配設されるとともに、ガラス枠金具３０に係合する。その結果、ガラス枠金具３０とガラス枠鉤２７ｆとの係合関係により、ガラス枠１５が前枠１３に対して施錠される。
【００４９】
一方、前枠１３に対して施錠状態にあるガラス枠１５を解錠するには、実施形態と同様に、鍵２３によるガラス枠１５の解錠操作により作動杆２５を下方向（逆方向）へスライド移動させ、その作動杆２５により各ガラス枠作動体２７を下方向へスライド移動させる。すると、図８に実線に示すように、ガラス枠作動体２７が解錠位置へ移動してガラス枠鉤２７ｆとガラス枠金具３０との係合が解除され、ガラス枠１５が前枠１３から解錠される。従って、鍵２３による作動杆２５の作動により、ガラス枠鉤２７ｆを備えたガラス枠作動体２７がスライド移動して、ガラス枠１５の解錠を行うことができる。また、ガラス枠作動体２７にガラス枠鉤２７ｆを設けた場合は、ガラス枠１５にガラス枠金具３０を設ければよいため、ガラス枠１５の裏面からガラス枠金具３０が突出することがなくなる。
【００５０】
・  実施形態では、支持体１８に２体のガラス枠作動体２７を設けたが、上下一対のガラス枠作動体２７のうちいずれか一方を省略してもよい。又はガラス枠作動体２７を、側板１８ｂの長さ方向全体に沿って延びる長尺状に形成し、その上下両部に係合部２７ｇ又は前記ガラス枠鉤２７ｆが設けられたものとしてもよい。又は３体以上のガラス枠作動体２７を支持体１８にスライド移動可能に設けてもよい。
【００５１】
さらに、前記実施形態より把握できる技術的思想について以下に記載する。
（１）前記錠部材には解錠操作に伴い回動するピニオンが取り付けられているとともに、前記作動杆には、前記ピニオンに噛合するラックが一体形成され、錠部材による解錠操作に伴うピニオンの回動により、同ピニオンと噛合した前記ラックを介して作動杆をスライド移動させるように構成したことを特徴とする請求項１〜請求項４のいずれか一項に記載の遊技機における施錠装置。このように構成した場合、錠部材から作動杆への動力伝達を速やかに行うことができ、作動杆を速やかにスライド移動させ、解錠作業を速やかに行うことができる。また、ピニオンとラックとが複数箇所で常時噛合しているため、不正行為により作動杆をスライド移動させることが不可能となるため前枠又はガラス枠の不正解錠を防止することができる。
【００５２】
【発明の効果】
本発明によれば、一体の作動杆により前枠及びガラス枠を解錠することができるとともに、前枠の錠構造の簡易化を図ることにより製作コストを抑えることができる。
【図面の簡単な説明】
【図１】実施形態の施錠装置を示す分解斜視図。
【図２】（ａ）は実施形態の施錠装置を示す部分斜視図、（ｂ）は実施形態の施錠装置を示す部分側断面図。
【図３】（ａ）は前枠の解錠状態を示す側断面図、（ｂ）は前枠の解錠状態における施錠装置を示す背面図。
【図４】（ａ）はガラス枠の解錠状態を示す側断面図、（ｂ）はガラス枠の解錠状態における施錠装置を示す背面図。
【図５】実施形態のパチンコ遊技機を示す斜視図。
【図６】実施形態のパチンコ遊技機を示す斜視図。
【図７】別例の施錠装置を構成する部材を示す分解斜視図。
【図８】別例の施錠装置を示す側断面図。
【符号の説明】
Ｇ…ガラス枠鉤、Ｓ…錠部材としてのシリンダ錠、Ｃ２…付勢部材としての第２コイルばね、１１…遊技機としてのパチンコ遊技機、１２…本体枠、１３…前枠、１４…遊技盤、１５…ガラス枠、１７…施錠装置、１８…支持体、２５…作動杆、２６…鉤部材、２７…ガラス枠作動体、２７ｆ…ガラス枠鉤、２７ｇ…係合部、３０…ガラス枠金具。
【図１】
2004261520.tif 000003
【図２】
2004261520.tif 000004
【図３】
2004261520.tif 000005
【図４】
2004261520.tif 000006
【図５】
2004261520.tif 000007
【図６】
2004261520.tif 000008
【図７】
2004261520.tif 000009
【図８】
2004261520.tif 000010